(57)【要約】 【課題】コンクリート構造物の両外壁部に相当する補強壁の施工が一体的で強固にでき、しかも残存型枠を使用して作業性を高めると共に廃材を出さずに構造物を施工でき、且つ、補強壁近辺の打設ソイルコンクリートの押し固めが確実に行える。【解決手段】コンクリート構造物の両外壁部に相当する表補強壁（２）並びに裏補強壁（３）の施工が、残存型枠（４）でもって、前記両補強壁（２），（３）内側の壁面角度（θ）が直角あるいは鈍角に形成できる一定高さの枠組をした後、その枠組内に生コンクリートを打設し固化させる。次いで前記残存型枠（４）が表面に固着した前記両補強壁（２），（３）間の内部にソイルコンクリート（Ａ）を打設し、それを押し固め、以後、前記コンクリート構造物の形状に合せて、前記残存型枠（４）の枠組と生コンクリートの打設並びに前記ソイルコンクリート（Ａ）の打設及び押し固めとを順次繰返しながら所定の高さまで行う。【選択図】図１
2005344349.tif 000002
【特許請求の範囲】
【請求項１】
ソイルコンクリート（Ａ）を使用したコンクリート構造物を施工する際に、その両外壁部に相当するコンクリート製の表補強壁（２）と裏補強壁（３）とを施工した後に、前記両補強壁（２），（３）間の内部に前記ソイルコンクリート（Ａ）を打設し押し固めて施工する工法において、前記表補強壁（２）並びに前記裏補強壁（３）の施工が、残存型枠（４）でもって、前記両補強壁（２），（３）の内側の壁面角度（θ）が直角あるいは鈍角に形成できる一定高さの枠組をした後、その枠組内に生コンクリートを打設し固化させ、次いで前記残存型枠（４）が表面に固着した前記両補強壁（２），（３）間の内部にソイルコンクリート（Ａ）を打設し、それを押し固め、以後、前記コンクリート構造物の形状に合せて、前記残存型枠（４）の枠組と生コンクリートの打設並びに前記ソイルコンクリート（Ａ）の打設及び押し固めとを順次繰返しながら所定の高さまで行うことを特徴とする残存型枠並びにソイルコンクリートを使用したコンクリート構造物の施工方法。
【請求項２】
前記ソイルコンクリート（Ａ）を打設する際に、前記両補強壁（２），（３）の上端より低く打設し、且つ前記両補強壁（２），（３）の各自上下が入り組んで段積した請求項１記載の残存型枠並びにソイルコンクリートを使用したコンクリート構造物の施工方法。
【請求項３】
前記表補強壁（２）の表側に化粧を施した前記残存型枠（４）を使用して枠組した請求項１、２記載の残存型枠並びにソイルコンクリートを使用したコンクリート構造物の施工方法。
【請求項４】
前記ソイルコンクリート（Ａ）を打設する毎に、そのソイルコンクリート（Ａ）の上部に所定厚さの補強コンクリート（Ｂ）を打設した請求項１、２、３記載の残存型枠並びにソイルコンクリートを使用したコンクリート構造物の施工方法。
【発明の詳細な説明】
【技術分野】
【０００１】
本発明は擁壁，砂防ダム，貯水ダム等のコンクリート製構造物を施工する際に、その外壁部に相当する強固なコンクリート製の補強壁を施工するのに残存型枠を使用し、構造物の内部がソイルコンクリートを使用して施工する残存型枠並びにソイルコンクリートを使用したコンクリート構造物の施工方法に関する。
【背景技術】
【０００２】
従来、擁壁，砂防ダム，貯水ダム等のコンクリート構造物を施工する際に、現場から発生する生土にセメント等を加えたソイルコンクリートが使用される。このソイルコンクリートを使用して前記コンクリート構造物を施工する方法としては、先ず、コンクリート構造物の外壁部に相当するコンクリート製の表補強壁と裏補強壁とを互いに対向させて施工した後に、内部の両補強壁間にソイルコンクリートを打設し、それを押し固めて施工する方法である。
【０００３】
その方法として、特公昭５６−１１８１２号には、矩形の基体の後方に２本の脚体を突設せしめてなる多数の脚付ブロックを千鳥状に且つ上下の脚付ブロックの脚体が相互に重合するようにして積重ねて前壁及び後壁を構成すると共に、前壁と後壁の間は多数積重ねた筒形ブロックをコンクリートで接合して構成した適数基の中間縦壁によってこれを接続する一方、前壁と後壁の間の残余のスペースには貧配合コンクリート又は栗石等からなる充填材を充填するようにした方法が提案されている。
【０００４】
また特開平８−１７７０３５号では、所定の高さ及び長さで砂防ダムの袖部を形成するに際して、袖部を形成すべき箇所で、袖部の幅方向両側に位置する部分に袖部の長手方向に沿ってブロックを並べて互いに対向するブロック列を形成し、次いで砂防ダム工事で発生した発生土をブロック列の間に投入し、ブロック列の間に上面がほぼ平坦な発生土層を形成し、次いで前記上面に流動性の良いコンクリートを流してコンクリートを発生土層に含浸させて堆積層とし、以後これを繰り返して袖部を形成する方法である。これにより、砂防ダム工事で発生する発生土を利用した堆積層とブロック列で強固で安定した状態の袖部が形成されるという方法が提案されている。
【特許文献１】特公昭５６−１１８１２号公報
【特許文献２】特開平８−１７７０３５号公報
【発明の開示】
【発明が解決しようとする課題】
【０００５】
しかしながら、従来のソイルコンクリートを使用したコンクリート構造物の施工方法においては、上記両補強壁を施工する際に、使用する型枠が木製，金属製等であるから施工後に枠組した型枠を撤去しなければならず、その作業が面倒で時間を要し、且つ廃材を出し環境的にも悪い等の問題点があった。
【０００６】
また、ダム等のコンクリート構造物は、厚さが上方に向って狭めているため、その外壁部に相当する一定厚さの両補強壁も上方に向って傾斜した状態で施工される。この状態においては、両補強壁の内側壁面が内側に傾斜しており、両補強壁間にソイルコンクリートを打設した後に、ローラー転圧機や振動押圧機等でソイルコンクリートの押し固め作業を行うと、両補強壁近くのソイルコンクリートを押し固める際に、内側に傾斜した補強壁が邪魔になり、ローラー転圧機や振動押圧機を両補強壁の根元まで移動できず、従って、両補強壁近辺のソイルコンクリートが押し固めできないという問題点を有していた。
【０００７】
更に特公昭５６−１１８１２号では、前壁と後壁を施工するのにブロックを使用するため、そのブロックの形状も複雑で製作費が嵩むと共に、ブロック自体の重量が大きく、施工現場に搬入する費用が増し、それを積重ねるには大きなクレーンを必要とし、ブロック一個ずつクレーンで吊り上げて積重ねるのに多大な手間を要すると共に高所での重量物作業には危険性が伴う。また、ブロックを積重ねて前壁と後壁を施工するのは、積重ねたブロック間の結合が、生コンクリートを打設して前壁と後壁とを施工した一体的なものに比べて弱く、特に前壁と後壁間に充填材を充填するような内部が弱い砂防ダムの構造物においては、上流からの土砂や岩石の激しい衝突等により前壁と後壁の強度が極めて高く要求され、上記ブロックの使用には強度の面で問題があった。更にブロックでは、構造物の形状によっては積重ねができない箇所が生じ、そのための手間が掛かる等の問題点があった。
【０００８】
また特開平８−１７７０３５号のものは、砂防ダムの一部である袖部の形成方法であるが、その袖部の形成においても、ブロックを並べて互いに対向するブロック列を形成し、その間に発生土を投入する方法であるから、前記特公昭５６−１１８１２号と同様な問題点を有していた。
【０００９】
本発明の目的は、かかる従来の問題点を解決するためになされたもので、ソイルコンクリートを使用するコンクリート構造物を施工する際に、その両外壁部に相当するコンクリート製補強壁の施工が、残存型枠を使用して作業性を高めると共に廃材を出さずにコンクリート構造物を施工でき、且つ、補強壁近辺の打設ソイルコンクリートの押し固めが確実に行えると共に、両補強壁が一体的で任意の形状に形成でき強固である残存型枠並びにソイルコンクリートを使用したコンクリート構造物の施工方法を提供することにある。
【課題を解決するための手段】
【００１０】
ソイルコンクリート（Ａ）を使用したコンクリート構造物を施工する際に、その両外壁部に相当するコンクリート製の表補強壁（２）と裏補強壁（３）とを施工した後に、前記両補強壁（２），（３）間の内部に前記ソイルコンクリート（Ａ）を打設し押し固めて施工する工法において、前記表補強壁（２）並びに裏補強壁（３）の施工が、残存型枠（４）でもって、前記両補強壁（２），（３）内側の壁面角度（θ）が直角あるいは鈍角に形成できる一定高さの枠組をした後、その枠組内に生コンクリートを打設し固化させ、次いで前記残存型枠（４）が表面に固着した前記両補強壁（２），（３）間の内部にソイルコンクリート（Ａ）を打設し、それを押し固め、以後、前記コンクリート構造物の形状に合せて、前記残存型枠（４）の枠組と生コンクリートの打設並びに前記ソイルコンクリート（Ａ）の打設及び押し固めとを順次繰返しながら所定の高さまで行うことを特徴とする。
【００１１】
前記ソイルコンクリート（Ａ）を打設する際に、前記両補強壁（２），（３）の上端より低く打設し、且つ前記両補強壁（２），（３）の各自上下が入り組んで段積するのが好ましい。
【００１２】
前記表補強壁（２）の表側に化粧を施した前記残存型枠（４）を使用して枠組するのが好ましい。
【００１３】
前記ソイルコンクリート（Ａ）を打設する毎に、そのソイルコンクリート（Ａ）の上部に所定厚さの補強コンクリート（Ｂ）を打設するのが好ましい。
【００１４】
本発明のソイルコンクリート（Ａ）とは、現場で発生する土砂，混和剤，セメント等を混練して形成されたものを言う。尚、場合によっては、上記のものに少量の水を更に加えたものも使用される。
【００１５】
本発明の生コンクリートとは、セメント，砂，石，混和剤及び水などを混練して形成した一般の生コンクリートで固化していない状態のものを言う。従って、ソイルコンクリート（Ａ）のように、現場で発生する土砂が入っていないため、強度的に強固なコンクリートとなる。尚、本発明の表補強壁（２）及び裏補強壁（３）は生コンクリートを打設し固化させたものである。
【００１６】
本発明の残存型枠（４）とは、予め工場でプレキャストのコンクリートパネルに製作した型枠であり、それを型枠として枠組し、打設コンクリートが固化後、そのまま打設コンクリートの表面に残存するタイプの型枠であって、コンクリート製又は金属製の残存型枠を言う。そして、この残存型枠（４）としては、表面に種々の化粧を施した表用残存型枠と化粧のない裏用残存型枠とがあり、表用残存型枠は一般に、コンクリート構造物の人目に付く表側に、又、人目につかない裏側には、裏用残存型枠が使用される。
【発明の効果】
【００１７】
本発明は表補強壁（２）と裏補強壁（３）の施工が、残存型枠（４）の使用により、枠組が容易でその枠組内に生コンクリートを打設するだけでもって両補強壁（２），（３）の施工が完了すると共に型枠の撤去を不要とし、そのため手間が掛からず、廃材も出ないので環境の面でもよいと共に、コンクリート構造物の傾斜やカーブ等を有する種々形状に対しても壁面角度（θ）が直角あるいは鈍角に確保される。
【００１８】
また本発明では、前記両補強壁（２），（３）の内側の壁面角度（θ）が直角あるいは鈍角になるように形成したことにより、両補強壁（２），（３）間に打設したソイルコンクリート（Ａ）を押し固める際に、押し固めるためにローラー転圧機や振動押圧機等を使用しても両補強壁（２），（３）の内側が邪魔にならず、両補強壁（２），（３）の近辺の打設したソイルコンクリート（Ａ）も押し固めが可能となり、打設したソイルコンクリート（Ａ）の全体を押し固めることができる。従って、従来のような両補強壁（２），（３）の内側近くは上記押し固めの機械が入らず、押し固めができないという問題点を解消できる。
【００１９】
更に本発明では、前記両補強壁（２），（３）の各自上下の段積が、生コンクリートの打設により一体的に結合するため、強度的に強く、更に前記両補強壁（２），（３）の各自上下を入り組んで段積したことにより、各自上下に段積した両補強壁（２），（３）がソイルコンクリート（Ａ）の内圧でずれることがなくより強固に段積できる。
【００２０】
また本発明では、表補強壁（２）の表面に、化粧を施して残存型枠（４）を使用することにより、人目に付く側のコンクリート構造物に天然石風や木目風等の美観を呈することができる。
【００２１】
更に本発明では、ソイルコンクリート（Ａ）を打設する毎に、そのソイルコンクリート（Ａ）の上部に所定厚さの補強コンクリート（Ｂ）を打設したことにより、コンクリート構造物の内部がソイルコンクリート（Ａ）のみに比べ強度が増し、特に両補強壁（２），（３）間の圧縮強度が増加するため、コンクリート構造物に加わる側圧にも充分に耐久性を有する。
【発明を実施するための最良の形態】
【００２２】
以下、本発明の施工方法につき、図を基にその実施形態を詳述する。図１は本発明の一実施形態を示し、砂防ダムの施工方法の説明図を示している。この図１を基に本発明の施工方法を説明すると、先ずコンクリート構造物の外部に相当するコンクリート製の表補強壁（２）並びに裏補強壁（３）を施工するには、予め両補強壁（２），（３）の施工位置に基礎コンクリート（１）が施工されており、この各基礎コンクリート（１）の上に残存型枠（４）を使用して、下流側（図の左側）の表補強壁（２）用と、上流側（図の右側）の裏補強壁（３）用との枠組を行う。
【００２３】
この枠組においては、外側の残存型枠（4a）と内側の残存型枠（4b）を所定間隔離し、外側の残存型枠（4a）は構造物の傾斜に合せて傾斜させ、内側の残存型枠（4b）は両補強壁（２），（３）の内側の壁面角度（θ）が直角あるいは鈍角になるように枠組され、図１では直角に枠組したものが図示されている。そして、表補強壁（２）用の外側の残存型枠（4a）は表面に化粧を施した表用残存型枠を使用するのがよく、他の残存型枠（４）については、人目が付かないため裏補強壁（３）用の全部の残存型枠（４）も含め化粧を施さない裏用残存型枠が使用される。尚、裏補強壁（３）において、外側が人目に付く場合は外側の残存型枠（4a）を化粧のある表用残存型枠にすることもある。
【００２４】
残存型枠（４）は一般にコンクリート製のパネル状であり、予め工場で製作したプレキャストコンクリートである。これは例えば厚さ３０〜４０ｍｍ、巾９００〜１２００ｍｍ、高さ６００ｍｍ程度のものが使用されるが、この寸法に限定されない。この残存型枠（４）は基礎コンクリート（１）上に段積し、互いに連結金具で連結固定される。また本発明の使用する残存型枠（４）としては、一例として本発明者が提案した表用残存型枠として特願平１０−２０４９００号，裏用残存型枠として特願平１０−３０６４６１号等のものが使用されるが、この一例に限定されるものではない。（５）は枠組内で基礎コンクリート（１）に突出して固定したアンカー鉄筋であり、（６）は残存型枠（４）の間隔を支持する支持鉄筋である。
【００２５】
このように最下位の両補強壁（２），（３）用の枠組が完了した後に、この枠組内に生コンクリートを打設して固化すると、枠組した残存型枠（４）はそのまま打設コンクリートの表面に固着し、両補強壁（２），（３）の一部として一体的に固着し残存する。従って、残存型枠（４）を使用して枠組すれば生コンクリートを打設することにより、両補強壁（２），（３）の施工が完了するため、型枠を撤去する手間がかからず、極めて作業性がよく、廃材も出ない。
【００２６】
そして、打設コンクリートが固化し最下位の両補強壁（２），（３）の施工が完了した後、両補強壁（２），（３）間の内部にソイルコンクリート（Ａ）を打設し、ローラー転圧機，振動押圧機等でもって、ソイルコンクリート（Ａ）を上方から押し固める。この際に、両補強壁（２），（３）の内部側の壁面角度（θ）が直角あるいは鈍角なため、打設したソイルコンクリート（Ａ）を押し固める際に、押し固め機を使用しても両補強壁（２），（３）の内部側が邪魔にならず、両補強壁（２），（３）近辺のソイルコンクリート（Ａ）も確実に押し固められる。
【００２７】
図２は本発明の請求項２の実施形態を示したものである。この図２においてソイルコンクリート（Ａ）を打設する際に、両補強壁（２），（３）の上端より低く打設させる。そして両補強壁（２），（３）の上に次の各自補強壁（２），（３）を段積する際に、内側の残存型枠（4b）をソイルコンクリート（Ａ）の上端に設置し、外側の残存型枠（4a）は既に設置している下の残存型枠（4a）上に段積して枠組する。次いでこの枠組内に生コンクリートを打設し固化させて第二回目の補強壁（２），（３）の施工が完了する。この状態において各自の上下の補強壁（２），（３）は互いに入り組んで段積される。以後この補強壁（２），（３）の施工とソイルコンクリート（Ａ）の打設とを繰り返して目的の高さまで施工する。この各自の上下の補強壁（２），（３）を互いに入り組んで段積することにより、打設したソイルコンクリート（Ａ）の内圧に対し、段積された状態での補強壁（２），（３）の強度が増し、高く段積しても安全である。
【００２８】
図３，４は本発明の請求項４の実施形態を示したものである。この図３はソイルコンクリート（Ａ）の上部に所定厚さの補強コンクリート（Ｂ）を打設したものである。また図４はソイルコンクリート（Ａ）の上部に補強コンクリート（Ｂ）を打設したものであるが、両補強壁（２），（３）の上端より補強コンクリート（Ｂ）の上面が低く打設したものであり、これは前記したように、両補強壁（２），（３）の各自上下を入り組んで施工させるためである。この補強コンクリート（Ｂ）はセメント，砂利，石，混和剤及び水などを混練した一般のコンクリートであり、中に鉄筋等の補強材を入れるのが好ましい。
【産業上の利用可能性】
【００２９】
本発明は、土木工事の中で、ソイルコンクリートを使用した砂防ダム，擁壁，貯水ダム等のコンクリート構造物を施工する際に使用できる。
【図面の簡単な説明】
【００３０】
【図１】本発明の実施形態を示す施工方法の説明図である。
【図２】本発明の他の実施形態を示す説明図である。
【図３】本発明の補強コンクリートを設けた施工方法を示す説明図である。
【図４】本発明の補強コンクリートを設けた他の施工方法を示す説明図である。
【符号の説明】
【００３１】
Ａ  ソイルコンクリート
Ｂ  補強コンクリート
２  表補強壁
３  裏補強壁
４  残存型枠
θ  壁面角度
【図１】
2005344349.tif 000003
【図２】
2005344349.tif 000004
【図３】
2005344349.tif 000005
【図４】
2005344349.tif 000006